(57)【要約】【課題】本発明の目的は、固定部品と可動部品との間でのスティックを防ぐことができる回転機械を提供することにある。【解決手段】車室１４の軸線Ｏ方向の熱伸びに追従して基部３２上を軸線Ｏ方向に移動するように構成された可動側軸受台１８を備える。可動側軸受台１８には、可動側軸受台１８の下部３４に対し鉛直方向上向きの浮上力を作用させる浮上力発生体３８を保持する浮上力発生空間２０であって、基部３２との間で浮上力発生体３８を保持する閉空間が形成されるように可動側軸受台の下部３４に設けられた切り欠きを含む浮上力発生空間２０と、可動側軸受台の下部３４に設けられ、浮上力発生空間２０に浮上力発生体３８を供給する浮上力発生体供給路とが設けられている。【選択図】図１
2018155184.tif 000002
【特許請求の範囲】
【請求項１】
軸線回りに回転するロータを含む回転体と、
前記回転体を回転自在に収納する車室と、
前記ロータの一端側を回転自在に受ける軸受を支持する固定側軸受台であって、基部上において軸線方向位置が固定された固定側軸受台と、
前記ロータの他端側を回転自在に受ける軸受を支持する可動側軸受台であって、前記車室の軸線方向の熱伸びに追従して前記基部上において軸線方向に移動するように構成された可動側軸受台と、
を備え、
前記可動側軸受台には、
前記可動側軸受台の下部に対し鉛直方向上向きの浮上力を作用させる浮上力発生体を保持する少なくとも一の浮上力発生空間であって、前記基部との間で前記浮上力発生体を保持する閉空間が形成されるように前記可動側軸受台の下部に設けられた切り欠きを含む、少なくとも一の浮上力発生空間と、
前記可動側軸受台の下部に設けられ、前記浮上力発生空間に前記浮上力発生体を供給する、少なくとも一の浮上力発生体供給路と、
が設けられている回転機械。
【請求項２】
前記浮上力発生空間が、前記可動側軸受台の直下に設けられている請求項１に記載の回転機械。
【請求項３】
前記可動側軸受台の下部の全面積に対する浮上力発生空間の面積が、２０％以上である請求項２に記載の回転機械。
【請求項４】
前記可動側軸受台の浮上力発生空間に設けられた支持部であって、前記可動側軸受台の下部を前記基部上にて支持する支持部を備える請求項１から３のいずれか一項に記載の回転機械。
【請求項５】
前記車室から突出する猫足部分を支持する可動側猫足台であって、前記可動側軸受台とともに前記基部上において軸線方向に移動するように構成された可動側猫足台をさらに備え、
前記浮上力発生空間と前記浮上力発生体供給路とがさらに、前記可動側猫足台の下部に設けられている請求項１から４のいずれか一項に記載の回転機械。
【請求項６】
前記浮上力発生空間が、前記可動側猫足台の直下に設けられている請求項５に記載の回転機械。
【請求項７】
前記可動側猫足台の下部の全面積に対する浮上力発生空間の面積が、２０％以上である請求項６に記載の回転機械。
【請求項８】
前記可動側猫足台の浮上力発生空間に設けられた支持部であって、前記可動側猫足台の下部を前記基部上にて支持する支持部を備える請求項５から７のいずれか一項に記載の回転機械。
【請求項９】
前記浮上力発生体が、グリースであり、
前記浮上力発生空間が、グリース保持空間であり、
前記浮上力発生体供給路が、グリース供給路である、請求項１から８のいずれか一項に記載の回転機械。
【請求項１０】
前記グリース供給路に接続されたグリース供給源であって、グリースに圧力をかけるグリース供給源をさらに備える請求項９に記載の回転機械。
【請求項１１】
前記グリース保持空間から溢れたグリースを回収するグリース回収ラインをさらに備える請求項９または１０に記載の回転機械。
【発明の詳細な説明】
【技術分野】
【０００１】
本発明は回転機械、特にその軸受台構造の改良に関する。
【背景技術】
【０００２】
従来より種々の回転機械が用いられている。例えば、蒸気タービンやガスタービンといった高温下で運転される回転機械は、発電機等の機械駆動用などに用いられている。これらのタービンは、軸受台により軸線回りに回転可能に支持されたロータを、タービンの外殻を形成する車室内に備えている。ロータは、車室内に作動流体として蒸気や燃焼ガスが供給されることにより、車室内で回転する。タービンは、このロータの回転により、発電機等を回転駆動させる。
【０００３】
ところで、蒸気タービンやガスタービンといった高温下で運転される回転機械では、タービンの作動時に車室内やロータの軸受で生じる熱により、種々の熱変形が起こる。例えば、蒸気タービンの運転中、熱変形により車室が軸線方向に伸びる。
【０００４】
このため、車室熱変形が生じるタービンは、車室の軸線方向伸びに追従して、軸受台などの可動部品を、基礎などの固定部品に対し移動させる設計となっている。
例えば、蒸気タービンの熱膨張時に基礎プレートに対し排気フードを軸線方向に移動するために設計された技術ではあるが、特許文献１には、基礎プレートと排気フードとの間に低摩擦パッドを組込んだスライド用プレート組立体を設け、基礎プレートと排気フードとの間の摩擦力を低減する技術が記載されている。
【先行技術文献】
【特許文献】
【０００５】
【特許文献１】特開２００６−１３８３１８号公報
【発明の概要】
【発明が解決しようとする課題】
【０００６】
しかしながら、特許文献１に記載の技術でも、固定部品と可動部品との間でスティック（膠着）が生じることがある。
【０００７】
本発明は、上記課題を解決するためになされたものであって、固定部品と可動部品との間でのスティックを防ぐことができる回転機械を提供することを目的とする。
【課題を解決するための手段】
【０００８】
上記課題を解決するために、本発明は以下の手段を採用している。
すなわち、本発明の一態様に係る回転機械は、軸線回りに回転するロータを含む回転体と、前記回転体を回転自在に収納する車室と、前記ロータの一端側を回転自在に受ける軸受を支持する固定側軸受台であって、基部上において軸線方向位置が固定された固定側軸受台と、前記ロータの他端側を回転自在に受ける軸受を支持する可動側軸受台であって、前記車室の軸線方向熱伸びに追従して前記基部上において軸線方向に移動するように構成された可動側軸受台と、を備える。前記可動側軸受台には、前記可動側軸受台の下部に対し鉛直方向上向きの浮上力を作用させる浮上力発生体を保持する少なくとも一の浮上力発生空間であって、前記基部との間で前記浮上力発生体を保持する閉空間が形成されるように前記可動側軸受台の下部に設けられた切り欠きを含む、少なくとも一の浮上力発生空間と、前記可動側軸受台の下部に設けられ、前記浮上力発生空間に前記浮上力発生体を供給する、少なくとも一の浮上力発生体供給路と、が設けられる構成とする。
【０００９】
この構成によれば、可動側軸受台の下部に浮上力発生空間が設けられているため、可動側軸受台に対し鉛直方向上向きの浮上力が作用する。これにより、車室の軸線方向の熱伸びが生じても、可動側軸受台をスムーズに軸線方向に動かすことができる。
【００１０】
上記の回転機械は、前記浮上力発生空間が、前記可動側軸受台の直下に設けられてもよい。
【００１１】
この構成によれば、浮上力発生空間が可動側軸受台の直下に設けられているので、可動側軸受台に対し鉛直方向上向きの浮上力を効率よく作用させることができる。これにより、可動側軸受台を、よりスムーズに動かすことができる。
【００１２】
上記の回転機械は、可動側軸受台の下部の全面積に対する浮上力発生空間の面積が、２０％以上であってもよい。
ここにいう「可動側軸受台の下部」とは、可動側軸受台における基部との対向面をいい、例えば、可動側軸受台の下部に底板が設けられている場合、「底板」をいう。可動側軸受台の下部に底板が設けられている場合、「可動側軸受台の下部の全面積」とは、底板の全面積をいう。ここにいう「全面積」とは、浮上力発生空間に相当する範囲を含む底板の下面の全範囲の面積をいう。ここにいう浮上力発生空間に相当する範囲とは、浮上力発生空間を規定する面のうちの水平方向面の範囲をいう。
【００１３】
この構成によれば、可動側軸受台の下部の全面積に対する浮上力発生空間の面積を２０％以上とするため、可動側軸受台に鉛直方向上向きの浮上力を効率よく作用させることができる。これにより、可動側軸受台を、よりスムーズに動かすことができる。
【００１４】
上記の回転機械は、前記可動側軸受台の浮上力発生空間に設けられた支持部であって、前記可動側軸受台の下部を前記基部上にて支持する支持部を備えてもよい。
【００１５】
この構成によれば、浮上力発生空間の全範囲を切り欠かず、つまり浮上力発生空間の中央は切り欠かず、支持部を設ける構造となっているので、可動側軸受台の自重による撓みを抑制する。この結果、可動側軸受台をスムーズに動かすことができる。
【００１６】
上記の回転機械は、前記車室から突出する猫足部分を支持する可動側猫足台であって、前記可動側軸受台とともに前記基部上において軸線方向に移動するように構成された可動側猫足台をさらに備えており、前記浮上力発生空間と前記浮上力発生体供給路とがさらに、前記可動側猫足台の下部に設けられてもよい。
【００１７】
この構成によれば、可動側猫足台の下部にも浮上力発生空間が設けられているため、可動側猫足台に対しても鉛直方向上向きの浮上力が作用する。これにより、車室の軸線方向の熱伸びが生じても、可動側軸受台および可動側猫足台をスムーズに軸線方向に動かすことができる。
【００１８】
上記の回転機械は、前記浮上力発生空間が、前記可動側猫足台の直下に設けられてもよい。
【００１９】
この構成によれば、浮上力発生空間が可動側猫足台の直下にも設けられているので、可動側軸受台および可動側猫足台に鉛直方向上向きの浮上力を効率よく作用させることができる。このため、車室が軸線方向に熱伸びしても、可動側軸受台および可動側猫足台を、よりスムーズに動かすことができる。
【００２０】
上記の回転機械は、可動側猫足台の下部の全面積に対する浮上力発生空間の面積が、２０％以上であってもよい。
ここにいう「可動側猫足台の下部」とは、可動側猫足台における基部との対向面をいい、例えば、可動側猫足台の下部に底板が設けられている場合、「底板」をいう。可動側軸受台の下部に底板が設けられている場合、「可動側猫足台の下部の全面積」とは、底板の全面積をいう。ここにいう「全面積」とは、浮上力発生空間に相当する範囲を含む底板の下面の全範囲の面積をいう。ここにいう浮上力発生空間に相当する範囲とは、浮上力発生空間を規定する面のうちの水平方向面の範囲をいう。
【００２１】
この構成によれば、可動側猫足台の下部の全面積に対する浮上力発生空間の面積も２０％以上とするため、可動側猫足台にも鉛直方向上向きの浮上力を効率よく作用させることができる。これにより、可動側軸受台および可動側猫足台を、よりスムーズに動かすことができる。
【００２２】
上記の回転機械は、前記可動側猫足台の浮上力発生空間に設けられた支持部であって、前記可動側猫足台の下部を前記基部上にて支持する支持部を備えてもよい。
【００２３】
この構成によれば、浮上力発生空間の全範囲を切り欠かず、つまり浮上力発生空間の中央は切り欠かず、支持部を設ける構造となっているので、可動側猫足台の自重による撓みを抑制する。この結果、可動側猫足台をスムーズに動かすことができる。
【００２４】
上記の回転機械は、前記浮上力発生体がグリースであり、前記浮上力発生空間がグリース保持空間であり、前記浮上力発生体供給路がグリース供給路であってもよい。
ここにいうグリースとは、可動側軸受部および可動側猫足台がスティックすることなくスムーズに軸線方向に移動可能な浮上力を発生することができる圧力を有するものをいう。
【００２５】
この構成によれば、グリースという簡単な構成で、可動側軸受台および／または可動側猫足台に対して鉛直方向上向きの浮上力を作用させることができる。これにより、簡単な構成で、可動側軸受台および／または可動側猫足台をスムーズに動かすことができる。
【００２６】
上記の回転機械は、前記グリース供給路に接続されたグリース供給源であって、前記グリースに圧力をかけるグリース供給源をさらに備えてもよい。
ここにいうグリースに圧力をかけるとは、可動側軸受部および可動側猫足台がスティックすることなくスムーズに軸線方向に移動可能な浮上力を発生することができる圧力をグリースが有するように、グリースに圧力をかけることをいう。
【００２７】
この構成によれば、グリース供給源により、本発明の浮上力を発生可能な圧力のグリースを得ている。このため、グリースによる浮上力を効率よく発生することができる。これにより、可動側軸受台および／または可動側猫足台を、よりスムーズに動かすことができる。
【００２８】
上記の回転機械は、前記グリース保持空間から溢れたグリースを回収するグリース回収ラインをさらに備えてもよい。
【００２９】
この構成によれば、グリース回収ラインにより、グリース保持空間から溢れたグリースが回収される。このため、グリースを効率よく利用することができるので、グリースによる軸受台および／または猫足台の可動容易化を効率よく行うことができる。
【００３０】
本発明は以下の点に着目してなされたものである。
例えば発電用の蒸気タービンは運転中に熱変形を生じて車室が軸方向に伸びることがある。この車室の軸方向の伸びに追従して軸受台が動くように車室と軸受台とが接続部材により接続されている。
このため、固定側軸受台を起点に車室が軸線方向に伸びると、接続部材は車室が伸びた分、可動側軸受台を押し、可動側軸受台が移動する設計になっている。
このように従来の回転機械では、可動側軸受台が軸線方向に可動する設計にはなっているものの、実際には、何等かの要因により、可動側軸受台がスティックしてしまうことがある。
本発明者らによれば、このような可動側軸受台のスティックは、特定の条件下で起こり得るというよりは、通常の運転中に起こり得る事象であることが分かった。
【発明の効果】
【００３１】
本発明の回転機械によれば、特に熱伸びが発生するであろう回転機械において、上記構造により運転中の可動側軸受台のスティックを防止することができる。
【図面の簡単な説明】
【００３２】
【図１】本発明の一実施形態にかかる回転機械の全体構成を模式的に示す説明図である。
【図２】本発明の一実施形態にかかる回転機械の全体構成を模式的に示す説明図である。
【図３】本発明の一実施形態にかかる回転機械において特徴的なグリース保持空間を説明するための模式図である。
【図４】本発明の一実施形態にかかる回転機械において特徴的なグリース保持空間を説明するための図である。
【図５】本発明の一実施形態にかかる回転機械のグリース保持空間の説明図である。
【図６】本発明の一実施形態にかかるグリース保持空間においてより好適な支持部の説明図である。
【図７】本発明の一実施形態にかかる回転機械のグリース保持空間の説明図である。
【発明を実施するための形態】
【００３３】
以下、図面に基づき本発明の好適な一実施形態について説明する。
図１には本発明の一実施形態に係る回転機械の概略構成が模式的に示されている。なお、図１は模式図のため、浮上力発生体供給路、車室端部から外方に向けて突出する被支持部である猫足部分、および猫足部分を支持する猫足台の図示は省略している。
本発明の一実施形態に係る蒸気タービン（回転機械）１０は、蒸気Ｓのエネルギーを回転動力として取りだす外燃機械であって、発電所における発電機等に用いられるものである。
【００３４】
蒸気タービン１０は、タービン本体（回転体）１２と、車室１４と、固定側軸受台１６と、可動側軸受台１８と、を備えている。可動側軸受台１８には、高圧グリース保持空間（浮上力発生空間）２０が設けられている。
【００３５】
タービン本体１２は、車室１４を貫通するように軸線Ｏに沿って伸びて軸線Ｏ回りに回転するロータ２２と、ロータ２２に設けられた動翼２４と、を備えている。
ロータ２２は、動翼２４が設けられた中間部が車室１４内に収容されている。
ロータ２２は、その両端部が、軸線Ｏに沿った方向において車室１４の両側の端部を貫通して、車室１４の外部に突出している。
ロータ２２は、車室１４から外方に突出した両端が軸受部２６、２８により回転自在に支持されている。
【００３６】
車室１４は、タービン本体１２の中間部を回転自在に収納する。
車室１４は、車室１４に保持された静翼３０を備えている。
【００３７】
固定側軸受台１６は、ロータ２２の一端側を回転自在に支持する軸受２６を支持する。  固定側軸受台１６は、台板（基部）３２上において軸線Ｏ方向位置が固定されている。
【００３８】
可動側軸受台１８は、ロータ２２の他端側を回転自在に支持する軸受２８を支持する。
可動側軸受台１８は、その下面に、底板（可動側軸受台の下部）３４が取り付けられている。底板３４は、車室１４と同じ材質で構成されている。
可動側軸受台１８は、車室１４の軸線Ｏ方向の熱伸びに追従して、台板３２上において軸線Ｏ方向に移動するように構成されている。
このために本実施形態では、車室１４と可動側軸受台１８とを軸線Ｏ方向に接続する接続部材であるセンタリングビーム３６を備えている。
【００３９】
本発明において特徴的なことは、浮上力発生空間を備えたことにある。
このために本実施形態では、可動側軸受台１８の直下の底板３４に、高圧グリース保持空間２０が形成されている。ここにいう高圧とは、可動側軸受台１８がスティックすることなく軸線Ｏ方向に移動可能な浮上力を発生する圧力をいう。
高圧グリース保持空間２０は、高圧グリース（浮上力発生体）３８で満たされている。  高圧グリース保持空間２０は、高圧グリース３８を、高圧グリース保持空間２０と台板３２とで形成される閉空間にしっかり保持している。この閉空間が底板３４と台板３２とで形成されるように、底板３４に切り欠きが設けられている。
高圧グリース３８は、可動側軸受台１８の底板（可動側軸受台の下部）３６に対し、鉛直方向上向き（図１中、上向き）の浮上力を作用させる。
この構成によれば、高圧グリース保持空間２０により、可動側軸受台１８に作用する抵抗力、例えば台板３２と底板３４との間の摩擦力を低減し、可動側軸受台１８のスティックを防止することができる。
以下、この作用について、より具体的に説明する。
蒸気タービン１０では、運転中、熱変形により車室１４が軸線Ｏ方向に伸びる。この車室１４の軸線Ｏ方向の伸びに追従して可動軸受台１８が動くように、車室１４と可動側軸受台１８とは、センタリングビーム３６により接続されている。
このため、固定側軸受台１６を起点に車室１４が軸線Ｏ方向に熱伸びすると、センタリングビーム３６を介して可動側軸受台１８を軸線Ｏ方向に押す。
ここで、一般的な蒸気タービンでは、可動側軸受台はスムーズに動く設計となっているものの、実際には何らかの要因により可動側軸受台と台板とがスティックして、可動側軸受台がスムーズに動かなくなる事象を生じる場合がある。
これに対し、本実施形態では、可動側軸受台１８の底板３４の下面に高圧グリース保持空間２０を設け、グリースの圧力により可動側軸受台１８に鉛直方向上向きの力を作用させて、可動側軸受台１８に作用する抵抗力、例えば台板３２と底板３４との間の摩擦力を緩和している。このため、台板３２と底板３４とがスティックすることなく、底板３４とともに可動側軸受台１８がスムーズに動く。つまり、本実施形態では、運転中、可動側軸受台１８を、車室１４の熱延びの分だけ軸線Ｏ方向に移動させることができるので、車室１４の熱伸びの影響を十分に解消することができる。
【００４０】
[猫足台]
可動部品のスティックをより確実に防ぐためには、本実施形態の高圧グリース保持空間を、車室を支持する猫足台にも適用することが好適である。このために本実施形態においては、高圧グリース保持空間を図２に示されるような猫足台にも適用している。
【００４１】
以下、図２を参照しつつ、高圧グリース保持空間の猫足台への適用例について説明する。なお、図２は模式図のため、浮上力発生体供給路の図示は省略している。
【００４２】
車室１４は、下半車室１４ａと、上半車室１４ｂと、を備えている。下半車室１４ａと上半車室１４ｂとは、ボルトおよびナット等の締結具（図示省略）を用いて一体に締結されることにより、車室１４を構成している。
【００４３】
車室１４の端部では、下半車室１４ａの端部に、下半車室１４ａの端部から外方に向けて突出する被支持部である猫足部分が形成されている。猫足部分は、下半車室１４ａの端部から軸線Ｏ方向に伸びる片持ち梁状に形成されている。
猫足部分は、下半車室１４ａの各端部において、軸線Ｏを挟んだ両側に１つずつ、合計４箇所に配置されている。同図において、猫足部分は、固定側猫足部分４０と、可動側猫足部分４２と、を備えている。
固定側猫足部分４０は、固定側猫足台４４により支持されている。
可動側猫足部分４２は、可動側猫足台４６により支持されている。
【００４４】
可動側猫足台４６は、その下面に底板（可動側猫足台の下部）３４が設けられ、底板３４を介して可動側軸受台１８とともに台板３２上を軸線Ｏ方向のみに移動するように構成されている。
【００４５】
本実施形態では、可動側猫足台４６の直下の底板（可動側猫足台の直下）３４に、上記した可動側軸受台直下の底板３４に設けられた高圧グリース保持空間と同様の、高圧グリース保持空間（浮上力発生空間）４８が形成されている。
台板３２と底板３４の高圧グリース保持空間４８とで規定される閉空間に、高圧グリース３８がしっかりと保持されている。
高圧グリース３８は、可動側猫足台４６直下の底板３４に鉛直方向上向き（図中、上向き）の力（浮上力）を作用させている。
【００４６】
このように本実施形態では、可動側猫足台４６直下の底板３４にも、上記した可動側軸受台直下の高圧グリース保持空間と同様の高圧グリース保持空間４８を設けている。この高圧グリース保持空間４８のグリース圧により、可動側猫足台４６にも鉛直方向上向きの力を作用させることにより、可動側猫足台４６に作用する抵抗力、例えば台板３２と底板３４との間の摩擦力を低減し、可動側猫足台４６のスティックを防止している。
【００４７】
[形成場所]
なお、可動側軸受台および可動側猫足台（底板３４）をよりスムーズに動かすためには、本実施形態に係る高圧グリース保持空間の形成場所も非常に重要である。
そこで、本実施形態では、図３にも示されるように、底板３４において、重量物である可動側軸受台１８の直下に高圧グリース３８を保持する高圧グリース保持空間２０が設けられている。底板３４において、重量物である可動側猫足台４６の直下にも、高圧グリース３８を保持する高圧グリース保持空間４８が設けられている。
【００４８】
このように、高圧グリース３８を保持する高圧グリース保持空間２０を可動側軸受台１８の直下に形成することにより、高圧グリース３８による鉛直方向上向きの力が、可動側軸受台１８の下面に効率的に作用する。同様に、高圧グリース３８を保持する高圧グリース保持空間４８を可動側猫足台４６の直下に形成することにより、高圧グリース３８による鉛直方向上向きの力が、可動側猫足台４６の下面にも効率的に作用する。
このようにして高圧グリース保持空間を軸受台直下および猫足台直下に設けることにより、可動側軸受台および可動側猫足台に対し、より効率よく浮上力を作用させることができるので、重量物である可動側軸受台および可動側猫足台（底板３４）のスティックを、より確実に防ぐことができる。
【００４９】
[キー溝]
可動側軸受台および可動側猫足台（底板３４）をよりスムーズに動かすためには、台板３２に対する底板３４の移動方向をより確実に軸線Ｏ方向のみに規制することも好ましい。
そこで、本実施形態では、図３に示されるように、底板３４の下面には、軸線Ｏ方向（図示省略）にキー溝５０が形成されている。台板３２には、キー溝５０に、はめ込まれたキー５２が設けられている。
このように、本実施形態では、台板３２に対し底板３４は、キー溝５０及びキー５２の方向に沿って、つまり軸線方向のみに移動し、かつ直交方向には動かないように構成されているので、底板３４のスティックを、より確実に防ぐことができる。
【００５０】
[潤滑]
可動側軸受台および可動側猫足台（底板３４）をよりスムーズに動かすためには、浮上力の付与に加えて、潤滑も好ましい。
そこで、本実施形態では、図３に示されるようなキー溝５０に、潤滑のためのグリースを供給してもよい。
これにより台板３２と底板３４との間を潤滑し、台板３２上を底板３４が、より移動しやすくなっている。
【００５１】
[形成面積]
可動側軸受台および可動側猫足台（底板３４）をよりスムーズに動かすため、本実施形態では、図４に示されるような台板を裏側から見た図からも明らかなように、可動側軸受台直下の底板に高圧グリース保持空間２０が設けられており、可動側猫足台直下の底板にも高圧グリース保持空間４８が設けられている。
さらに、可動側軸受台および可動側猫足台（底板３４）をよりスムーズに動かすためには、高圧グリース保持空間２０、４８の面積も非常に重要である。
そこで、本実施形態では、底板３４の下面の全面積（水平方向面）に対する、可動側軸受台直下の高圧グリース保持空間２０の面積（水平方向面）と可動側猫足台直下の高圧グリース保持空間４８の面積（水平方向面）との合計を、２０％以上としている。
【００５２】
上記構成の蒸気タービンでは、高圧グリース保持空間２０、４８の面積が、底板３４の全面積に対し２０％以上であるので、グリース圧による鉛直方向上向きの力を、可動側軸受台および可動側猫足台に対して、より積極的に作用させることができる。
【００５３】
[高圧グリース供給源]
可動側軸受台および可動側猫足台（底板３４）をよりスムーズに動かすため、高圧グリース保持空間に、高圧グリースをより確実に供給することも非常に重要である。
そこで、本実施形態では、図４に示されるような、高圧グリース供給源６０と、高圧グリース供給溝（浮上力発生体供給路）６２と、をさらに備えている。
高圧グリース供給源６０は、高圧グリース供給溝６２に接続されている。高圧グリース供給源６０は、グリースに圧力をかけて高圧グリース３８としている。ここにいう高圧グリース３８とは、底板３４がスティックすることなくスムーズに軸線Ｏ方向に移動可能な浮上力を発生する圧力のグリースをいう。
高圧グリース供給溝６２は、可動側軸受台の下にある底板（可動側軸受台の下部）に設けられ、高圧グリース保持空間２０に、高圧グリース供給源６０からの高圧グリース３８を供給している。高圧グリース供給溝６２は、可動側猫足台の下にある底板（可動側猫足台の下部）にも設けられており、高圧グリース保持空間４８に、高圧グリース供給源６０からの高圧グリース３８を供給している。
【００５４】
上記構成の蒸気タービンでは、外部に高圧グリース供給源６０を備えるので、高圧グリース保持空間２０、４８に高圧グリースをより確実に供給することができる。このため、高圧グリース保持空間２０、４８に高圧グリースをより確実に保持することができる。これにより、高圧グリース３８による鉛直方向上向きの力を、底板３４に対して、より確実に作用させることができるので、底板３４をよりスムーズに動かすことができる。
【００５５】
このように本実施形態では、底板３４に、高圧グリース供給溝６２と、高圧グリース保持空間２０、４８と、を設けている。
高圧グリース保持空間２０、４８は、高圧グリース供給溝６２よりも面積を大きくしている。つまり高圧グリース供給溝６２の流路幅よりも、高圧グリース保持空間２０、４８の流路幅は広くなっている。
このような高圧グリース保持空間２０、４８に対し、高圧グリースを、高圧グリース供給溝６２を介して供給し、供給された高圧グリース３８を高圧グリース保持空間２０、４８に溜めている。これにより、高圧グリース保持空間２０、４８に高圧グリースを保持している。
その結果、本実施形態では、重量物である可動側軸受台および可動側猫足台（底板３４）をグリースの圧力で浮上させることができる。
本実施形態によれば、可動側軸受台および可動側猫足台の重量にかかわらず、底板３４の全体が均一に浮上するので、可動側軸受台および可動側猫足台のような重量物であっても、よりスムーズに動かすことができる。
【００５６】
なお、浮上とは、実際に可動側軸受台および可動側猫足台（底板３４）が持ち上がるというよりは、台板３２と底板４５とがすりあうぐらいに浮上することをいう。つまり台板３２上を底板３４がスティックすることなく、スムーズに動く程度に底板３４に浮上力が作用することをいう。
【００５７】
本実施形態に係る高圧グリース３８は、底板３４がスティックすることなくスムーズに軸線Ｏ方向に移動可能な浮上力を発生する圧力を有するグリースをいう。このような高圧グリース３８の圧力としては、１００ａｔａまでが一例として挙げられるが、高圧グリース保持空間２０（高圧グリース保持空間４８）の水平方向面の面積を可動側軸受台１８（可動側猫足台４６）直下の水平方向面の全面積と同じにした条件で、一般的な潤滑用の狭いグリース溝幅の場合に比べて、１／２〜１／５程度に、高圧グリース３８の圧力を低減することができる。このように本実施形態では、高圧グリース保持空間の広い溝幅により、一般的な潤滑用の狭いグリース溝幅の場合と比較し、高圧グリース３８の圧力を低く抑えることもできるので、より簡単な構成で、可動側軸受台および可動側猫足台（底板３４）をスムーズに動かすことができる。
【００５８】
[グリース回収ライン]
本実施形態では、グリースが高圧になるため、高圧グリース保持空間２０、４８からグリースが漏れる可能性がある。このため、高圧グリース保持空間２０、４８から溢れたグリースを回収することも非常に重要である。
そこで、本実施形態では、図４に示されるように、高圧グリース保持空間２０、４８の外周囲に沿って、グリース回収ライン６４を設けている。
【００５９】
上記構成の蒸気タービンでは、グリース回収ライン６４を備えているので、運転中、グリース回収ライン６４により、高圧グリース保持空間２０、４８から溢れたグリースが回収される。このため、運転中、グリースを効率よく利用して、高圧グリースによる可動側軸受台および可動側猫足台（底板３４）の可動容易化を効率よく行うことができる。
【００６０】
[低圧グリース供給源]
上述したように、可動側軸受台および可動側猫足台（底板３４）をよりスムーズに動かすためには、浮上力の付与に加えて、潤滑も重要である。
そこで、本実施形態では、キー溝５０に潤滑のためのグリースを供給するため、低圧グリース供給源７０と、低圧グリース供給溝７２とを備えている。本実施形態では、低圧グリース供給源７０からの低圧グリースを、低圧グリース供給溝７２を介して、底板３４のキー溝５０に供給している。
【００６１】
これにより本実施形態では、台板３２と底板３４との間を確実に潤滑することができるので、可動側軸受台および可動側猫足台（底板３４）がよりスムーズに動くように構成されている。なお、低圧グリース供給源７０は、潤滑のためのグリースをキー溝に充満する程度に供給するものであり、浮上力発生用の高圧グリースのように積極的に高い圧力を与えるものではない。
【００６２】
[支持部]
可動側軸受台および可動側猫足台（底板３４）をよりスムーズに動かすためには、高圧グリース保持空間に支持部を設けることも好ましい。
そこで、図４にも示されるように、本実施形態では、高圧グリース保持空間２０に支持部８０を設け、高圧グリース保持空間４８に支持部８２を設けている。
【００６３】
以下、図５〜７を参照しつつ、本実施形態に係る支持部についてより具体的に説明する。以下では可動側軸受台の支持部８０を例に説明しているが、可動側猫足台の支持部８２も同様である。
図５に示されるように、高圧グリース保持空間２０の溝幅（開口幅）ａが２５００ｍｍを越えると、自重による底板３４のたわみが過大になる可能性がある。
そこで、高圧グリース保持空間２０の溝幅ａが２５００ｍｍを越える場合は、図６に示されるような支持部８０を高圧グリース保持空間２０に必ず適用することとする。
【００６４】
図６の構成によれば、高圧グリース保持空間２０の溝幅ａが２５００ｍｍを越える場合であっても、自重によるたわみを防ぐことができる。これにより、台板３２に対する底板３４のスティックを防ぎ、台板３２に対し底板３４をスムーズに動かすことができる。
【００６５】
高圧グリース保持空間２０の溝幅ａが２５００ｍｍ未満の場合は、図６に示されるような支持部８０があっても、図７に示されるように高圧グリース保持空間２０の溝幅ａの全範囲を切り欠いてもよい。
【００６６】
このように、高圧グリース供給空間の溝幅が大きい場合、自重によるたわみが大きくなると考えられる。そこで、本実施形態では、高圧グリース保持空間２０を設けたことによる底板３４のたわみを低減するために、高圧グリース供給空間２０の中央は切り欠かずに支持部８０を設ける構造とした。可動側猫足台も同様である。
【００６７】
したがって、実施形態の蒸気タービンによれば、上記構造により運転中の可動側軸受台および可動側猫足台（底板３４）のスティックを防止することができる。
さらに、実施形態の蒸気タービンによれば、組立時も高圧グリースを供給することにより、可動側軸受台および可動側猫足台（底板３４）を容易に動かせるようにし、蒸気タービンの組立性を向上させることができる。
【００６８】
[変形例]
以上、本発明の実施の形態について図面を参照して詳述したが、具体的な構成はこの実施の形態に限られるものではなく、本発明の要旨を逸脱しない範囲の設計変更等も含まれる。
【００６９】
（回転機械）
例えば、上記実施形態では、回転機械として蒸気タービンを用いた例について説明したが、本発明はこれに限るものではなく、例えば他の回転機械としてもよい。
【００７０】
（浮上力）
上記実施形態では、浮上力発生体として高圧グリースを用いることが特に好ましいが、台板（基部）に対する可動側軸受台および可動側猫足台（底板）のスティックを防止することのできる鉛直方向上向きの浮上力が得られるものであれば、他の浮上力発生体を用いることも可能である。
【００７１】
（供給路）
上記実施形態では、高圧グリース供給路として供給溝を用いた例について説明したが、本発明は供給溝に限定されるものではなく、供給管を用いることも可能である。
【００７２】
（底板）
上記実施形態では、一の底板上に可動側軸受台と可動側猫足台とを設けた例について説明したが、本発明はこれに限定されるものではなく、可動側軸受台と可動側猫足台とをそれぞれ、別の底板上に設けることも可能である。
なお、可動側軸受台と可動側猫足台とをそれぞれ、別の底板上に設けた場合、可動側軸受台用の底板の全面積に対する高圧グリース保持空間の面積を２０％以上とし、かつ可動側軸猫足用の底板の全面積に対する高圧グリース保持空間の面積を２０％以上とすることが好ましい。
【符号の説明】
【００７３】
１０  蒸気タービン（回転機械）
１２  タービン本体（回転体）
１４  車室
１６  固定側軸受台
１８  可動側軸受台
２０、４８  高圧グリース保持空間（浮上力発生空間）
３２  台板（基部）
３４  底板（可動側軸受台の下部、可動側猫足台の下部）
３８  高圧グリース（グリース、浮上力発生体）
４６  可動側猫足台
６２  高圧グリース供給溝（浮上力発生体供給路）
【図１】
2018155184.tif 000003
【図２】
2018155184.tif 000004
【図３】
2018155184.tif 000005
【図４】
2018155184.tif 000006
【図５】
2018155184.tif 000007
【図６】
2018155184.tif 000008
【図７】
2018155184.tif 000009